(57)【要約】【課題】ディスプレイパネルの駆動装置及びその駆動方法を提供する。【解決手段】一対の基板間において、相互に平行なＸ電極及びＹ電極にＡ電極が交差し、その交差領域で放電セルが定義され、基板のうち少なくとも一つの放電セルに向かう面のＡ電極と二つのＸ電極及びＹ電極との間に保護層が配置され、保護層が酸化マグネシウムとスカンジウムとを含む物質からなり、Ｘ電極とＹ電極との間で維持放電を起こすディスプレイパネルの駆動装置であって、一つのフレームに含まれる複数のサブフィールドＳＦのうち少なくとも一つのサブフィールドＳＦ期間から、Ｘ電極及びＹ電極のうち少なくとも一つに、維持放電を起こすための維持パルスを印加する第１駆動部と、維持パルスに合わせてＡ電極にアドレスショットパルスを印加する第２駆動部と、を備える。【選択図】図３
2009042728.tif 000002
【特許請求の範囲】
【請求項１】
一対の基板間において、相互に平行なＸ電極とＹ電極に対してＡ電極が交差し、その交差領域で放電セルが定義され、前記基板のうち少なくとも一つの前記放電セルに向かう面の前記Ａ電極と二つの前記Ｘ電極及び前記Ｙ電極との間に保護層が配置され、前記保護層が酸化マグネシウムとスカンジウムとを含む物質からなり、前記Ｘ電極と前記Ｙ電極との間で維持放電を起こすディスプレイパネルの駆動装置であって、
一つのフレームに含まれる複数のサブフィールドのうち少なくとも一つのサブフィールド期間から、前記Ｘ電極及び前記Ｙ電極のうち少なくとも一つに、前記維持放電を起こすための維持パルスを印加する第１駆動部と、
前記維持パルスに合わせて前記Ａ電極にアドレスショットパルスを印加する第２駆動部と、
を備えることを特徴とするディスプレイパネルの駆動装置。
【請求項２】
前記アドレスショットパルスのパルス幅は、前記維持パルスのパルス幅より狭いことを特徴とする請求項１に記載のディスプレイパネルの駆動装置。
【請求項３】
前記アドレスショットパルスのパルス幅は、前記維持パルスのパルス幅の半分より狭いことを特徴とする請求項２に記載のディスプレイパネルの駆動装置。
【請求項４】
前記アドレスショットパルスの大きさは、前記維持パルスの大きさより小さいことを特徴とする請求項１に記載のディスプレイパネルの駆動装置。
【請求項５】
前記アドレスショットパルスは、前記維持パルスが印加される時点に印加されることを特徴とする請求項１に記載のディスプレイパネルの駆動装置。
【請求項６】
前記一つのフレーム内で複数のサブフィールドが順番に並べられ、前記アドレスショットパルスが中間の順番に該当する少なくとも一つ以上のサブフィールド期間に印加されることを特徴とする請求項１に記載のディスプレイパネルの駆動装置。
【請求項７】
前記アドレスショットパルスは、前記サブフィールド期間内で印加される前記維持パルスのうち少なくとも一つ以上の維持パルスに合わせて印加されることを特徴とする請求項１に記載のディスプレイパネルの駆動装置。
【請求項８】
前記保護層は、アルミニウム、カルシウム及びジルコニウムのうち少なくとも一つ以上をさらに含む物質からなることを特徴とする請求項１に記載のディスプレイパネルの駆動装置。
【請求項９】
前記保護層は、酸化マグネシウム＋スカンジウム、酸化マグネシウム＋スカンジウム＋アルミニウム、酸化マグネシウム＋スカンジウム＋アルミニウム＋カルシウム、及び酸化マグネシウム＋スカンジウム＋ジルコニウムのうち一つを含む物質からなることを特徴とする請求項１に記載のディスプレイパネルの駆動装置。
【請求項１０】
一対の基板間において、相互に平行なＸ電極とＹ電極に対してＡ電極が交差し、その交差領域で放電セルが定義され、前記基板のうち少なくとも一つの前記放電セルに向かう面の前記Ａ電極と二つの前記Ｘ電極及び前記Ｙ電極との間に保護層が配置され、前記保護層は、酸化マグネシウムとスカンジウムとを含む物質からなり、前記Ｘ電極と前記Ｙ電極との間で維持放電を起こすディスプレイパネルの駆動方法であって、
第１パルス幅を有する維持パルスを生成するステップと、
前記第１パルス幅より狭い第２パルス幅を有するアドレスショットパルスを生成するステップと、
前記Ｘ電極及び前記Ｙ電極のうち少なくとも一つに前記維持パルスを印加し、前記Ａ電極に前記アドレスショットパルスを前記維持パルスに合わせて印加するステップと、
を含むことを特徴とするディスプレイパネルの駆動方法。
【請求項１１】
前記一つのフレーム内で複数のサブフィールドが順番に並べられ、前記アドレスショットパルスが中間の順番に該当する少なくとも一つ以上のサブフィールド期間に印加されることを特徴とする請求項１０に記載のディスプレイパネルの駆動方法。
【請求項１２】
前記サブフィールドは、リセット期間、アドレス期間及び維持期間を含み、
前記アドレス期間に、前記Ｙ電極に順次にスキャンパルスが印加され、表示しようとする放電セルに該当するＡ電極に前記スキャンパルスに同期されるアドレスパルスが印加され、前記アドレスショットパルスの大きさが前記アドレスパルスの大きさより小さいことを特徴とする請求項１１に記載のディスプレイパネルの駆動方法。
【請求項１３】
前記アドレスショットパルスは、前記維持期間に印加されることを特徴とする請求項１２に記載のディスプレイパネルの駆動方法。
【請求項１４】
前記アドレスショットパルスは、正の大きさのパルス電圧であることを特徴とする請求項１３に記載のディスプレイパネルの駆動方法。
【請求項１５】
前記維持期間に、前記Ｙ電極に接地電圧を中心に正の大きさの第１維持パルスと負の大きさの第２維持パルスとが交互に印加されることを特徴とする請求項１３に記載のディスプレイパネルの駆動方法。
【請求項１６】
前記アドレスショットパルスは、
前記第１維持パルスに合わせて印加される正の大きさの第１アドレスショットパルスと、
前記第２維持パルスに合わせて印加される負の大きさの第２アドレスショットパルスと、
を含むことを特徴とする請求項１５に記載のディスプレイパネルの駆動方法。
【請求項１７】
前記保護層は、アルミニウム、カルシウム及びジルコニウムのうち少なくとも一つ以上をさらに含む物質からなることを特徴とする請求項１０に記載のディスプレイパネルの駆動方法。
【請求項１８】
前記保護層は、酸化マグネシウム＋スカンジウム、酸化マグネシウム＋スカンジウム＋アルミニウム、酸化マグネシウム＋スカンジウム＋アルミニウム＋カルシウム、及び酸化マグネシウム＋スカンジウム＋ジルコニウムのうち一つを含む物質からなることを特徴とする請求項１０に記載のディスプレイパネルの駆動方法。
【発明の詳細な説明】
【技術分野】
【０００１】
本発明は、ディスプレイパネルの駆動装置及びその駆動方法に係り、特に高い２次電子放出特性により放電遅延時間が短い材料により形成される保護層を備えるディスプレイパネルを、放電電圧を低め、輝度及び効率を向上させるように駆動するディスプレイパネルの駆動装置及びその駆動方法に関する。
【背景技術】
【０００２】
平板ディスプレイ装置として、大型パネルの製作が容易なプラズマディスプレイパネル（Ｐｌａｓｍａ  Ｄｉｓｐｌａｙ  Ｐａｎｅｌ：ＰＤＰ）が注目されている。ＰＤＰは、放電現象を利用して画像を表現するディスプレイ装置である。
【０００３】
一般的に、ＰＤＰは、駆動電圧の形態によって直流型と交流型とに分けられる。直流型ＰＤＰの場合、放電遅延時間が長いという短所があるので、交流型ＰＤＰの開発が多く行われている。
【０００４】
交流型ＰＤＰとしては、３電極を備え、交流電圧により駆動される３電極交流面放電方式のＰＤＰが代表的である。一般的な３電極面放電方式のＰＤＰは、多層の板で形成されている。
【０００５】
また、ＰＤＰは、従来の画面表示装置である陰極線管（ＣＲＴ）に比べて薄くて軽く、かつ広い画面を提供できるため、空間的に有利である。
【０００６】
通常の交流型ＰＤＰは、ユーザーに画像を示す上板及びそれと平行に結合される下板を備える。
【０００７】
上板は、前面基板に維持電極対が配列され、その上に維持電極対を埋め込むように第１誘電体層が配置され、その上に保護層が配置されて形成される。下板は、背面基板の前面基板に対向する面にアドレス電極が配列され、その上に第２誘電体層が配置されて形成される。
【０００８】
このとき、背面基板は、前面基板と対向するように配置される。また、アドレス電極は、維持電極対と交差するように配置される。このとき、維持電極対とアドレス電極とが交差する領域に放電セルが形成される。
【０００９】
上板と下板との間には、放電距離を維持し、放電セル間の電気的光学的クロストークを防止する隔壁が配置される。前記隔壁の両側面及び隔壁が形成されていない第２誘電体層の全面には、赤色、緑色、青色発光蛍光体が塗布される。前記隔壁により区画される放電セルの内部には、Ｈｅ及びＸｅなどを含む放電ガスが充電される。
【００１０】
一方、超高精細ＰＤＰを具現するために、パネルの解像度が高くなるにつれてそれぞれのピクセルが小さくなる。したがって、放電セルの内部の荷電粒子の密度が低くなり、これにより、高い駆動電圧が必要であり、輝度及び放電効率が低下するという問題点がある。
【００１１】
このとき、輝度及び効率を向上させるために、放電ガスが１０％以上のＸｅを含めば、駆動電圧が高くなるという問題点がある。また、駆動電圧を低め、放電応答時間を短縮するために、保護層は、温度依存性がなく、高い２次電子放出特性を有し、放電遅延時間の短い材料で形成される。
【００１２】
この場合、多くの２次電子放出により放電セルの内部に空間荷電粒子が非常に多いので、アドレス待機時間に壁電荷が損失される。したがって、壁電荷の損失により放電が正しく起きない場合が発生しうる。
【特許文献１】特開２００５−１５７３６８号公報
【発明の開示】
【発明が解決しようとする課題】
【００１３】
本発明の目的は、保護層が高い２次電子放出特性を有する材料により形成されるＰＤＰを維持放電期間にアドレスショットパルスを印加して駆動することによって、輝度及び放電効率を向上させるディスプレイパネルの駆動装置及びその駆動方法を提供するところにある。
【課題を解決するための手段】
【００１４】
本発明は、一対の基板間において、相互に平行なＸ電極とＹ電極に対してＡ電極が交差し、その交差領域で放電セルが定義され、前記基板のうち少なくとも一つの前記放電セルに向かう面の前記Ａ電極と二つの前記Ｘ電極及び前記Ｙ電極との間に保護層が配置され、前記保護層は、酸化マグネシウム（ＭｇＯ）とスカンジウム（Ｓｃ）とを含む物質からなり、前記Ｘ電極と前記Ｙ電極との間で維持放電を起こすディスプレイパネルの駆動装置であって、一つのフレームに含まれる複数のサブフィールドのうち少なくとも一つのサブフィールド期間から、前記Ｘ電極及び前記Ｙ電極のうち少なくとも一つに、前記維持放電を起こすための維持パルスを印加する第１駆動部と、前記維持パルスに合わせて前記Ａ電極にアドレスショットパルスを印加する第２駆動部と、を備えるディスプレイパネルの駆動装置を提供する。
【００１５】
前記アドレスショットパルスのパルス幅は、前記維持パルスのパルス幅の半分より狭いことが望ましい。
【００１６】
前記保護層１２は、酸化マグネシウム（ＭｇＯ）＋スカンジウム（Ｓｃ）、酸化マグネシウム（ＭｇＯ）＋スカンジウム（Ｓｃ）＋アルミニウム（Ａｌ）、酸化マグネシウム（ＭｇＯ）＋スカンジウム（Ｓｃ）＋アルミニウム（Ａｌ）＋カルシウム（Ｃａ）、及び酸化マグネシウム（ＭｇＯ）＋スカンジウム（Ｓｃ）＋ジルコニウム（Ｚｒ）のうち一つを含む物質からなることが望ましい。
【００１７】
本発明の他の側面は、一対の基板間において、相互に平行なＸ電極とＹ電極に対してＡ電極が交差し、その交差領域で放電セルが定義され、前記基板のうち少なくとも一つの前記放電セルに向かう面の前記Ａ電極と二つの前記Ｘ電極及び前記Ｙ電極との間に保護層が配置され、前記保護層は、ＭｇＯとＳｃとを含む物質からなり、前記Ｘ電極と前記Ｙ電極との間で維持放電を起こすディスプレイパネルの駆動方法であって、第１パルス幅を有する維持パルスを生成するステップと、前記第１パルス幅より狭い第２パルス幅を有するアドレスショットパルスを生成するステップと、前記Ｘ電極及び前記Ｙ電極のうち少なくとも一つに前記維持パルスを印加し、前記Ａ電極に前記アドレスショットパルスを前記維持パルスに合わせて印加するステップと、を含むディスプレイパネルの駆動方法を提供する。
【００１８】
前記一つのフレーム内で複数のサブフィールドが順番に並べられ、前記アドレスショットパルスが中間の順番に該当する少なくとも一つ以上のサブフィールド期間に印加されることが望ましい。
【発明の効果】
【００１９】
本発明によれば、保護層が高い２次電子放出特性を有する材料により形成されるＰＤＰを維持放電期間にアドレスショットパルスを印加して駆動することによって、輝度及び放電効率を向上させることができる。
【発明を実施するための最良の形態】
【００２０】
以下、添付された図面を参照して、望ましい実施形態を中心に本発明について詳細に説明する。
【００２１】
図１には、本発明によるディスプレイパネルの駆動装置（図２の２０）が適用される一実施形態であって、３電極面放電方式のＰＤＰ１の構造が示される。
【００２２】
図１に示すように、面放電ＰＤＰ１の前方ガラス基板１０と後方ガラス基板１３との間には、Ａ電極ＡＲ１ないしＡＢｍ、誘電層１１、下方誘電層１５、Ｙ電極Ｙ１ないしＹｎ、Ｘ電極Ｘ１ないしＸｎ、蛍光層１６、隔壁１７及び保護層１２が設けられている。
【００２３】
Ａ電極ＡＲ１ないしＡＢｍは、後方ガラス基板１３の内面に一定なパターンで形成される。下方誘電層１５は、Ａ電極ＡＲ１ないしＡＢｍの上面に全面塗布される。下方誘電層１５の上面には、隔壁１７がＡ電極ＡＲ１ないしＡＢｍと平行な方向に形成される。この隔壁１７は、各放電セル１４の放電領域を区画し、各放電セル１４間の光学的干渉を防止する機能を行う。蛍光層１６は、後方ガラス基板１３上に形成される下方誘電層１５と隔壁１７との間に形成される空間の内面に形成される。
【００２４】
Ｘ電極Ｘ１ないしＸｎ及びＹ電極Ｙ１ないしＹｎは、Ａ電極ＡＲ１ないしＡＢｍと直交するように前方ガラス基板１０の後方に一定なパターンで形成される。各交差領域は、相応する放電セル１４を設定する。各Ｘ電極Ｘ１ないしＸｎ及び各Ｙ電極Ｙ１ないしＹｎは、ＩＴＯ（Ｉｎｄｉｕｍ  Ｔｉｎ  Ｏｘｉｄｅ）のような透明な導電性材質の透明電極と伝導度を高めるための金属電極とが結合されて形成される。ここで、Ｘ電極Ｘ１ないしＸｎは、それぞれの放電セル１４で維持電極となり、Ｙ電極Ｙ１ないしＹｎは、それぞれの放電セル１４で走査電極となり、アドレス電極ラインＡＲ１ないしＡＢｍは、それぞれの放電セル１４でアドレス電極となる。
【００２５】
保護層１２は、希土類金属を含む物質からなる。特に、保護層１２は、ＭｇＯとＳｃとを含む物質で形成される。すなわち、保護層１２の材料は、ＭｇＯ＋Ｓｃ、ＭｇＯ＋Ｓｃ＋Ａｌ、ＭｇＯ＋Ｓｃ＋Ａｌ＋Ｃａ、ＭｇＯ＋Ｓｃ＋Ｚｒのうちいずれか一つとなる。
【００２６】
前記した材料を含めて形成される物質からなる保護層１２は、温度依存性がなく、高い２次電子放出特性を有するので、放電遅延時間が短い。
【００２７】
一方、前記Ｙ電極は、表示しようとする放電セルを選択するために、スキャンパルスが順次に印加される走査電極となる。また、Ｘ電極は、Ｙ電極との間に維持放電を起こす維持電極となる。
【００２８】
３電極面放電方式のＰＤＰとその駆動装置、及び駆動方法は、本出願人の米国特許第６，７４４，２１８号明細書（名称：Method of driving a plasma display panel in which the width of display sustain pulse varies）に開示されている。前記米国特許に開示されたＰＤＰとその駆動装置、及び駆動方法に関する事項は、本明細書に含まれる。
【００２９】
図２は、本発明による望ましい実施形態であって、ＰＤＰ１の駆動装置２０のブロック図である。
【００３０】
図２に示すように、ＰＤＰ１の駆動装置２０は、映像処理部２１、論理制御部２２、Ａ駆動部２３、Ｘ駆動部２４及びＹ駆動部２５を備える。映像処理部２１は、外部アナログ映像信号をデジタル信号に変換して内部映像信号を発生させる。内部映像信号は、それぞれ８ビットの赤色（Ｒ）、緑色（Ｇ）及び青色（Ｂ）映像データ、クロック信号、垂直及び水平同期信号などとなる。論理制御部２２は、映像処理部２１からの内部映像信号によって駆動制御信号ＳＡ、ＳＹ、ＳＸを発生させる。
【００３１】
このとき、Ａ駆動部２３、Ｘ駆動部２４及びＹ駆動部２５の駆動部では、前記駆動制御信号ＳＡ、ＳＹ、ＳＸを入力されてそれぞれの駆動信号を発生させ、発生した駆動信号をそれぞれの電極に印加する。
【００３２】
すなわち、Ａ駆動部２３は、論理制御部２２から入力されるアドレス信号ＳＡによる表示データ信号をＡ電極に印加する。Ｘ駆動部２４は、論理制御部２２から入力されるＸ駆動制御信号ＳＸを処理してＸ電極に印加する。Ｙ駆動部２５は、論理制御部２２から入力されるＹ駆動制御信号ＳＹを処理してＹ電極に印加する。
【００３３】
ＰＤＰ１の駆動装置２０は、図３または図４に示した駆動信号によりＰＤＰを駆動する。
【００３４】
Ｘ駆動部２４及び／またはＹ駆動部２５は、一つのフレームに含まれる複数のサブフィールドのうち少なくとも一つのサブフィールド期間から、Ｘ電極及びＹ電極のうち少なくとも一つに維持放電を起こすための維持パルスを印加する。また、Ａ駆動部２３は、維持パルスに合わせてＡ電極にアドレスショットパルスを印加する。
【００３５】
図１に示したようにＭｇＯとＳｃとを含む物質で形成される保護層１２を備えるＰＤＰ１では、非常に多くの２次電子放出により放電セル空間の内部に空間荷電粒子が多いので、アドレシング待機時間に壁電荷が消失される現象が発生しうる。
【００３６】
これにより、フレーム内の時間的に後続するサブフィールド期間でアドレス放電の失敗が発生しうる。これにより、アドレス放電以後に発生する維持放電が失敗しうる。
【００３７】
したがって、本発明では、アドレス放電に続く維持放電でＡ電極にアドレスショットパルスを印加することによって、Ｘ電極とＹ電極との間の維持放電を助けて維持放電の失敗を防止できる。
【００３８】
このとき、アドレスショットパルスのパルス幅は、維持パルスのパルス幅より狭い。望ましくは、アドレスショットパルスのパルス幅は、維持パルスのパルス幅の半分より狭い。また、アドレスショットパルスの大きさは、前記維持パルスの大きさより小さいことが望ましい。
【００３９】
これは、アドレスショットパルスが主放電を起こすものではなく、Ｘ電極とＹ電極との間の維持放電を助ける役割を行うようにするためである。
【００４０】
図３には、図２のＰＤＰ１の駆動装置において、各駆動部から出力される駆動信号の一実施形態が示される。
【００４１】
図３に示すように、まず、ＰＤＰ１を駆動するための単位フレームは、複数個のサブフィールドに分けられ、各サブフィールドＳＦは、リセット期間ＰＲ、アドレス期間ＰＡ及び維持期間ＰＳに分けられる。
【００４２】
まず、リセット期間ＰＲには、Ｙ電極Ｙ１ないしＹｎに上昇パルスと下降パルスとからなるリセットパルスが印加され、Ｘ電極Ｘ１ないしＸｎに下降パルスの印加時から第２電圧（バイアス電圧）が印加されて、リセット放電が行われる。リセット放電により全体の放電セルが初期化される。上昇パルスは、維持放電電圧Ｖｓから上昇電圧Ｖｓｅｔほど上昇して最終的に上昇最高電圧Ｖｓｅｔ＋Ｖｓに達し、下降パルスは、維持放電電圧Ｖｓから下降して最終的に下降最低電圧Ｖｎｆに達する。
【００４３】
アドレス期間ＰＡには、Ｙ電極Ｙ１ないしＹｎに走査パルスが順次に印加され、Ａ電極Ａ１ないしＡｍには前記走査パルスに合わせて表示データ信号が印加されて、アドレス放電が行われる。アドレス放電により維持期間ＰＳで発生する維持放電が行われる放電セルが選択される。走査パルスは、スキャンハイ電圧Ｖｓｃｈを有していて、順次にスキャンハイ電圧Ｖｓｃｈより電圧の低いスキャンロー電圧Ｖｓｃｌを有し、表示データ信号は、走査パルスのスキャンロー電圧Ｖｓｃｌの印加時に合わせて正極性のアドレス電圧Ｖａを有する。
【００４４】
維持期間ＰＳでは、Ｘ電極Ｘ１ないしＸｎ及びＹ電極Ｙ１ないしＹｎに維持パルスが交互に印加されて維持放電が行われる。維持放電により各サブフィールドに割り当てられた階調加重値によって輝度が表現される。維持パルスは、維持放電電圧Ｖｓとグラウンド電圧Ｖｇとを交互に有する。
【００４５】
また、維持期間ＰＳには、Ｘ電極Ｘ１ないしＸｎ及びＹ電極Ｙ１ないしＹｎに印加される維持パルスと同期されるアドレスショットパルスがＡ電極Ａ１ないしＡｍに印加される。このとき、アドレスショットパルスは、維持パルスが始まる時点に始まるように印加される。
【００４６】
したがって、アドレスショットパルスによりＸ電極またはＹ電極の周囲に溜まる負の壁電荷の一部がＡ電極の周囲に移動し、これにより、維持放電の放電ボリュームが拡大する。これにより、放電効率が向上し、輝度が改善される。
【００４７】
一つのフレーム内で主に維持パルスの多い後方に位置するサブフィールド内で、２次電子による壁電荷の消失が特に問題となる。したがって、アドレスショットパルスは、フレーム内で後方に位置するサブフィールドの維持期間に印加されることが望ましい。
【００４８】
このとき、フレーム内で中間部分に位置するサブフィールドの維持期間にアドレスショットパルスを印加させることがさらに望ましい。フレーム内で中間の順番に位置するサブフィールド期間にアドレスショットパルスにより放電が安定化されれば、後続するサブフィールド期間では放電失敗なしに安定的に放電が起きる。
【００４９】
例えば、一つのフレームが０番目のサブフィールドないし１１番目のサブフィールドを含む場合に、本発明によるアドレスショットパルスは、６ないし８番目のサブフィールドの維持期間に維持パルスに同期されて印加される。
【００５０】
また、アドレスショットパルスは、該サブフィールド内で印加される維持パルスのうち少なくとも一つ以上の維持パルスに同期されて印加される。すなわち、アドレスショットパルスが該サブフィールド内のあらゆる維持パルスに同期されて印加されるものではなく、選択的に印加される。
【００５１】
図３に示した実施形態では、アドレスショットパルスが特定のサブフィールド内のあらゆる維持パルスに同期されて印加される。しかし、本発明は、これに限定されず、例えばアドレスショットパルスがＸ電極に印加される維持パルスまたはＹ電極に印加される維持パルスに同期されて印加される。
【００５２】
アドレスショットパルスの大きさＶａｓは、維持パルスの大きさＶｓより小さいことが望ましい。また、アドレスショットパルスの大きさＶａｓは、アドレスパルスの大きさＶａより小さいことが望ましい。
【００５３】
これは、アドレスショットパルスが主放電を起こすものではなく、Ｘ電極とＹ電極との間の維持放電を助ける役割を行うようにするためである。
【００５４】
一方、図３に示したものと異なる駆動信号が図２の各駆動部から出力されることが可能であり、図３に示したものに限定されない。
【００５５】
一方、ＰＤＰの駆動方法は、維持パルスを生成するステップと、アドレスショットパルスを生成するステップと、維持パルスとアドレスショットパルスとを印加するステップと、を含む。このとき、Ｘ電極及び前記Ｙ電極のうち少なくとも一つに維持パルスが印加され、Ａ電極には、アドレスショットパルスが維持パルスと同期されて印加される。
【００５６】
図３に示した実施形態では、維持パルスがＸ電極及びＹ電極それぞれに交互に印加される正の大きさの電圧Ｖｓであり、アドレスショットパルスは、Ａ電極に印加される正の大きさの電圧Ｖａｓである。
【００５７】
図４は、図２の各駆動部から出力する駆動信号の他の実施形態を示すタイミング図である。
【００５８】
図４に示すように、図４に示した駆動信号によるＰＤＰの駆動方法は、図３の駆動信号による駆動方法に対し、Ｘ電極は接地電圧Ｖｇに維持し、駆動信号が主にＹ電極に印加される実施形態である。これは、Ｙ駆動部内の駆動回路により駆動信号を印加させることによって、Ｘ電極の駆動のためのＸ駆動部内の駆動回路が簡単になりうる。
【００５９】
この場合、Ｘ電極とＹ電極との関係は、図３に示した駆動信号と同じ関係を有しうる。ただし、Ｘ電極は、リセット期間、アドレス期間、維持期間を含めた全期間に接地電圧Ｖｇに維持する。維持期間に、Ｙ電極に接地電圧Ｖｇを中心に正の大きさＶｓの第１維持パルスと負の大きさの第２維持パルス−Ｖｓとが交互に印加される。
【００６０】
アドレスショットパルスは、第１維持パルスに合わせて印加される正の大きさＶａｓの第１アドレスショットパルスと、第２維持パルスに合わせて印加される負の大きさ−Ｖａｓの第２アドレスショットパルスと、を含む。
【００６１】
負の大きさ−Ｖａｓの第２アドレスショットパルスがＡ電極に印加される場合には、アドレスショットパルスによりＹ電極の周囲に溜まる正の壁電荷の一部がＡ電極の周囲に移動し、これにより、維持放電の放電ボリュームが拡大する。これにより、放電効率が向上し、輝度が改善される。
【００６２】
ただし、本発明は、これに限定されず、アドレスショットパルスがあらゆる維持パルスに同期されて印加されるべきものではなく、選択的に印加される。また、第１アドレスショットパルスが負の大きさ−Ｖａｓとなりうる。また、第２アドレスショットパルスが正の大きさＶａｓとなりうる。
【００６３】
本発明は、図面に示した一実施形態を参考にして説明されたが、これは、例示的なものに過ぎず、当業者ならば、これから多様な変形及び均等な他の実施形態が可能であるという点を理解できるであろう。したがって、本発明の真の保護範囲は、特許請求の範囲により決まらねばならない。
【産業上の利用可能性】
【００６４】
本発明は、ディスプレイ装置関連の技術分野に適用可能である。
【図面の簡単な説明】
【００６５】
【図１】本発明によるディスプレイパネルの駆動装置が適用される３電極面放電方式のＰＤＰの構造を示す内部斜視図である。
【図２】本発明による望ましい実施形態であって、ＰＤＰの駆動装置を簡略に示すブロック図である。
【図３】図２の各駆動部から出力する駆動信号の一実施形態を示すタイミング図である。
【図４】図２の各駆動部から出力する駆動信号の他の実施形態を示すタイミング図である。
【符号の説明】
【００６６】
１    ＰＤＰ、
２０    駆動装置、
２１    映像処理部、
２２    論理制御部、
２３    Ａ駆動部、
２４    Ｘ駆動部、
２５    Ｙ駆動部。
【図１】
2009042728.tif 000003
【図２】
2009042728.tif 000004
【図３】
2009042728.tif 000005
【図４】
2009042728.tif 000006